(57)【要約】【課題】薬剤の包装を開封するための装置を用いて、一包化された薬剤の誤服用を抑制できる技術を提供する。【解決手段】この開封装置１は、複数の薬剤が一包化された包装を開封するための装置であって、包装に付されたコードを読み取る読み取り部４１と、包装を開封する開封部４０と、各部を制御する制御部５０とを有する。制御部５０は、読み取り部４１が読み込んだコードが適正であるか否かを判断するコード認証部５１と、開封部４０を切断可能状態と待機状態とに切り替える開封制御部５２とを有する。開封制御部５２は、コード認証部５１が前記コードを適正であると判断した場合に限り、開封部４０を切断可能状態とする。これにより、適正な薬剤の包装のみを開封可能である。【選択図】図２
2019122709.tif 000002
【特許請求の範囲】
【請求項１】
複数の薬剤が一包化された包装を開封するための開封装置であって、
前記包装に付されたコードを読み取る読み取り部と、
前記包装を開封する開封部と、
各部を制御する制御部と、
を有し、
前記制御部は、
前記読み取り部が読み込んだ前記コードが適正であるか否かを判断するコード認証部と、
前記開封部を、切断可能状態と待機状態とに切り替える開封制御部と、
を有し、
前記開封制御部は、前記コード認証部が前記コードを適正であると判断した場合に限り、前記開封部を前記切断可能状態とする、開封装置。
【請求項２】
請求項１に記載の開封装置であって、
前記コードは、前記包装の表面に印刷された、数字、バーコード、および２次元コードのいずれかを含む、開封装置。
【請求項３】
請求項１または請求項２に記載の開封装置であって、
前記開封部は、
移動可能な刃部と前記刃部を受ける刃受け部とを有するカッターと、
前記包装と前記カッターとを相対的に移動させる移動部と、
を含み、
前記切断可能状態において、前記刃部が前記包装に接触するとともに、前記移動部が前記包装と前記カッターとを相対的に移動させる、開封装置。
【請求項４】
請求項１ないし請求項３のいずれかに記載の開封装置であって、
無線または有線によって外部と通信する通信部
をさらに有し、
前記通信部を介して前記制御部へと薬剤情報が入力され、
前記コード認証部は、前記薬剤情報に基づいて、前記コードが適正であるか否かを判断する、開封装置。
【請求項５】
一包化された薬剤の服用状況を管理するための服薬管理システムであって、
複数の薬剤が一包化された包装を開封するための開封装置と、
前記開封装置と通信可能な管理装置と、
を備え、
前記開封装置は、
前記包装に付されたコードを読み取る読み取り部と、
前記包装を開封する開封部と、
前記開封装置内の各部を制御する制御部と、
を有し、
前記制御部は、
前記読み取り部が読み込んだ前記コードが適正であるか否かを判断するコード認証部と、
前記開封部を、切断可能状態と待機状態とに切り替える開封制御部と、
を有し、
前記管理装置は、前記制御部へ薬剤情報を入力し、
前記コード認証部は、前記薬剤情報に基づいて、前記コードが適正であるか否かを判断し、
前記開封制御部は、前記コード認証部が前記コードを適正であると判断した場合に限り、前記開封部を切断可能状態とする、服薬管理システム。
【請求項６】
請求項５に記載の服薬管理システムであって、
前記制御部は、前記コード認証部の判断内容と、前記開封部による開封の有無とを、前記管理装置へ送信する、服薬管理システム。
【請求項７】
複数の薬剤が一包化された包装を開封して内部の薬剤を供給するための薬剤供給装置であって、
複数の前記包装を収容する収容部と、
前記包装を開封する開封部と、
前記収容部から前記開封部へと前記包装を移送させる移送部と、
前記移送部により移送される前記包装に付されたコードを読み取る読み取り部と、
各部を制御する制御部と、
を有し、
前記制御部は、
前記移送部に前記包装の移送を行わせる移送制御部と、
前記読み取り部が読み込んだ前記コードが適正であるか否かを判断するコード認証部と、
前記開封部を、切断状態と待機状態とに切り替える開封制御部と、
を有し、
前記移送部により前記包装の前記コードが前記読み取り部に達すると前記コード認証部が判断を行い、
前記開封制御部は、前記コード認証部が前記コードを適正であると判断した場合に限り、前記開封部を前記切断状態とする、薬剤供給装置。
【発明の詳細な説明】
【技術分野】
【０００１】
本発明は、複数の薬剤が一包化された包装を開封するための開封装置、当該開封装置を含む服薬管理システム、および、当該開封装置を備えた薬剤供給装置に関する。
【背景技術】
【０００２】
近年、高齢化に伴って、定期的な服薬を行う患者の数が増えている。多くの高齢者が、定期的に通院し、複数種類の薬剤（内服薬）を処方されている。このように、複数種類の薬剤を服用する場合、薬剤の種類によって服用すべきタイミングや数量が異なるため、飲み忘れや、重複服用が生じることがある。
【０００３】
そこで、処方箋薬局などでは、同じタイミングに服用すべき薬剤を１つの閉じられた包装（袋）内にまとめる「一包化」が行われている。これにより、同じタイミングに服用すべき薬剤を過不足なく服用しやすくなる。
【先行技術文献】
【特許文献】
【０００４】
【特許文献１】特開２０１２−６６４１号公報
【発明の概要】
【発明が解決しようとする課題】
【０００５】
一包化の包装は、丈夫であると人の手で開封することが困難であるとともに、開封時に中の薬剤が飛び散る虞がある。一方、一包化の包装が丈夫でないと、開封しようとしていないときに破れてしまう虞がある。そこで、従来、薬剤の包装を開封するための装置が開発されている（例えば、特許文献１）。
【０００６】
また、薬剤が一包化されている場合であっても、患者が、開封すべきでない包装を開封して、中の薬剤を服用してしまうことが有り得る。例えば、朝食後に薬を服用する際に、誤って昼食後に飲むべき薬剤の包装を開封して、中の薬剤を服用してしまうことが有り得る。
【０００７】
本発明は、このような事情に鑑みなされたものであり、薬剤の包装を開封するための装置を用いて、一包化された薬剤の誤服用を抑制する技術を提供することを目的とする。
【課題を解決するための手段】
【０００８】
上記課題を解決するため、本願の第１発明は、複数の薬剤が一包化された包装を開封するための開封装置であって、前記包装に付されたコードを読み取る読み取り部と、前記包装を開封する開封部と、各部を制御する制御部と、を有し、前記制御部は、前記読み取り部が読み込んだ前記コードが適正であるか否かを判断するコード認証部と、前記開封部を、切断可能状態と待機状態とに切り替える開封制御部と、を有し、前記開封制御部は、前記コード認証部が前記コードを適正であると判断した場合に限り、前記開封部を前記切断可能状態とする。
【０００９】
本願の第２発明は、第１発明の開封装置であって、前記コードは、前記包装の表面に印刷された、数字、バーコード、および２次元コードのいずれかを含む。
【００１０】
本願の第３発明は、第１発明または第２発明の開封装置であって、前記開封部は、移動可能な刃部と前記刃部を受ける刃受け部とを有するカッターと、前記包装と前記カッターとを相対的に移動させる移動部と、を含み、前記切断可能状態において、前記刃部が前記包装に接触するとともに、前記移動部が前記包装と前記カッターとを相対的に移動させる。
【００１１】
本願の第４発明は、第１発明ないし第３発明のいずれかの開封装置であって、無線または有線によって外部と通信する通信部をさらに有し、前記通信部を介して前記制御部へと薬剤情報が入力され、前記コード認証部は、前記薬剤情報に基づいて、前記コードが適正であるか否かを判断する。
【００１２】
本願の第５発明は、一包化された薬剤の服用状況を管理するための服薬管理システムであって、複数の薬剤が一包化された包装を開封するための開封装置と、前記開封装置と通信可能な管理装置と、を備え、前記開封装置は、前記包装に付されたコードを読み取る読み取り部と、前記包装を開封する開封部と、前記開封装置内の各部を制御する制御部と、を有し、前記制御部は、前記読み取り部が読み込んだ前記コードが適正であるか否かを判断するコード認証部と、前記開封部を、切断可能状態と待機状態とに切り替える開封制御部と、を有し、前記管理装置は、前記制御部へ薬剤情報を入力し、前記コード認証部は、前記薬剤情報に基づいて、前記コードが適正であるか否かを判断し、前記開封制御部は、前記コード認証部が前記コードを適正であると判断した場合に限り、前記開封部を切断可能状態とする。
【００１３】
本願の第６発明は、第５発明の服薬管理システムであって、前記制御部は、前記コード認証部の判断内容と、前記開封部による開封の有無とを、前記管理装置へ送信する。
【００１４】
本願の第７発明は、複数の薬剤が一包化された包装を開封して内部の薬剤を供給するための薬剤供給装置であって、複数の前記包装を収容する収容部と、前記包装を開封する開封部と、前記収容部から前記開封部へと前記包装を移送させる移送部と、前記移送部により移送される前記包装に付されたコードを読み取る読み取り部と、各部を制御する制御部と、を有し、前記制御部は、前記移送部に前記包装の移送を行わせる移送制御部と、前記読み取り部が読み込んだ前記コードが適正であるか否かを判断するコード認証部と、前記開封部を、切断状態と待機状態とに切り替える開封制御部と、を有し、前記移送部により前記包装の前記コードが前記読み取り部に達すると前記コード認証部が判断を行い、前記開封制御部は、前記コード認証部が前記コードを適正であると判断した場合に限り、前記開封部を前記切断状態とする。
【発明の効果】
【００１５】
本願の第１発明ないし第７発明によれば、予め決められた薬剤の包装しか開封できない。これにより、一包化された薬剤の誤服用を抑制できる。
【００１６】
特に、本願の第２発明によれば、包装の表面に、服薬管理のためのコードを、容易に付すことができる。
【００１７】
特に、本願の第４発明および第５発明によれば、開封装置自体に、薬剤情報データを入力するための操作部を設ける必要が無い。これにより、開封装置の大型化を抑制しつつ、薬剤情報データの入力を行うことができる。
【００１８】
特に、本願の第６発明によれば、開封装置から管理装置へとコード認証部の判断内容等の情報をフィードバックすることにより、薬剤の飲み間違いを抑制するだけでなく、ユーザの薬剤の服用状況を管理できる。
【００１９】
特に、本願の第７発明によれば、病院や介護施設などにおいて、一包化された薬剤の誤服用を抑制しつつ、薬剤を供給できる。
【図面の簡単な説明】
【００２０】
【図１】服薬管理システムの概略図である。
【図２】服薬管理システムの機能ブロック図である。
【図３】一包化された薬剤包装の一例を示した図である。
【図４】開封時における開封装置の概略断面図である。
【図５】開封時における開封装置の概略断面図である。
【図６】開封時における開封装置の概略断面図である。
【図７】開封時における開封装置の概略上面図である。
【図８】開封時における開封装置の概略上面図である。
【図９】服薬管理システムを用いた服薬管理の流れを示したフローチャートである。
【図１０】開封装置を用いた開封処理の流れを示したフローチャートである。
【図１１】変形例に係る服薬管理システムの概略図である。
【図１２】変形例に係る服薬管理システムの機能ブロック図である。
【発明を実施するための形態】
【００２１】
以下、本発明の実施形態について、図面を参照しつつ説明する。なお、以下の説明では、上下方向を示して説明を行っているが、本発明に係る開封装置は、どのような向きで使用されてもよい。
【００２２】
＜１．服薬管理システム＞
はじめに、本発明の一実施形態に係る服薬管理システム１について、図面を参照しつつ説明する。図１は、服薬管理システム１の概略図である。図２は、服薬管理システム１の機能ブロック図である。図３は、一包化された薬剤の包装９の一例を示した図である。図４〜図６は、開封時における開封装置２の概略断面図である。図７および図８は、開封時の開封装置２の概略上面図である。
【００２３】
この服薬管理システム１は、一包化された薬剤の服用状況を管理するためのシステムである。図１および図２に示すように、服薬管理システム１は、開封装置２と、管理装置３とを備える。開封装置２は、複数の薬剤が一包化された包装９を開封するための装置である。管理装置３は、開封すべき包装９を指定するとともに、開封装置２による包装９の開封状況を管理するための装置である。管理装置３と開封装置２とは、有線または無線によって通信可能である。
【００２４】
開封装置２は、図１および図４〜図８に示すように、把持部２１と、作用部２２と、通知部２３とを有する。把持部２１は、ユーザが開封装置２を使用する際に把持する部位である。
【００２５】
作用部２２は、上側作用部２２１と下側作用部２２２とを有する。上側作用部２２１と下側作用部２２２は、それらの間に包装９の端部が進入可能な間隔を空けて、上下に配置される。上側作用部２２１は、把持部２１および下側作用部２２２に対して、上下方向に移動する。これにより、上側作用部２２１と下側作用部２２２との間に、包装９の端部を進入させて保持することができる。開封装置１は、このように、上側作用部２２１と下側作用部２２２との間に包装９の端部を保持した状態で開封処理を行う。
【００２６】
上側作用部２２１の上下方向の移動は、手動で行われてもよいし、自動で行われてもよい。本実施形態では、開封装置２の上面に設けられた開閉ボタン２４を押すことにより、上側作用部２２１が下方へ移動したり、上方へ移動したりする。なお、上側作用部２２１と下側作用部２２２との間に包装９が配置されたと認識されると自動的に上側作用部２２１が下方へ移動する構成であってもよい。
【００２７】
通知部２３は、後述する制御部５０からの信号に従って、所定の音声を発することにより、ユーザにエラー等の情報を通知する。
【００２８】
また、図２に示すように、開封装置２は、読み取り部４１と、カッター４２と、移動部４３と、通信部４４と、制御部５０とを有する。
【００２９】
読み取り部４１は、薬剤の包装９に付されたコード９０を読み取る。図４〜図６に示すように、本実施形態の読み取り部４１は、作用部２２の上側作用部２２１の下面に設けられる。本実施形態では、包装９の表面に、コード９０としてバーコードが付されている。このため、読み取り部４１として、例えば、ＣＣＤスキャン方式のバーコードリーダが用いられる。なお、読み取り部４１として、レーザスキャン方式、イメージセンシング方式、およびリニアイメージセンシング方式等の他の種類のバーコードリーダが用いられてもよい。
【００３０】
なお、コード９０は、包装９の表面に付された文字や、ＱＲコード（登録商標）等の２次元コードであってもよい。コード９０として、包装９に印刷されたバーコード等を用いることにより、包装９に容易にコード９０を付すことができる。
【００３１】
ただし、コード９０は、包装９に付された磁気ストライプやＩＣチップであってもよい。
【００３２】
カッター４２は、包装９を切断するための部位である。図６に示すように、カッター４２は、上側作用部２２１の下面から下方へと移動可能な刃部４２１と、刃部４２１を受ける刃受け部４２２とを有する。刃受け部４２２は、下側作用部２２２の上面に設けられた溝である。ただし、下側作用部２２２に刃部４２１が設けられ、上側作用部２２１に刃受け部２２２が設けられてもよい。
【００３３】
移動部４３（図２参照）は、包装９とカッター４２とを相対的に移動させる機構である。本実施形態の移動部４３は、包装９を開封装置２に対して図８中に矢印で示す移動方向に移動させる。カッター４２の刃部４２１を下方へ移動させつつ、移動部４３により包装９とカッター４２とを相対的に移動させることにより、包装９の端部を切断して開封することができる。すなわち、本実施形態では、カッター４２と移動部４３とによって、包装９を開封する開封部４０が構成される。
【００３４】
通信部４４（図２参照）は、無線または有線によって外部と通信するための機構である。通信部４４には、例えば、開封装置２の筐体内に収容可能なＵＳＢコネクタが用いられる。通信部４４としてＵＳＢコネクタを用いれば、パーソナルコンピュータである後述の管理制御部３０に、通信部４４を介して開封装置２を直接接続可能である。
【００３５】
なお、通信部４４は、管理装置３とデータの送受信を行うことが可能であればよく、その通信規格はＵＳＢに限られない。また、通信部４４は、インターネットを介して管理装置３との間でデータの送受信を行うものであってもよい。
【００３６】
制御部５０は、開封装置２内の各部を動作制御するための手段である。本実施形態の制御部５０は、マイクロコントローラによって構成される。なお、制御部５０は、ＣＰＵ等の演算処理部、ＲＡＭ等のメモリおよびハードディスクやＳＤカード等の記憶部により構成されてもよい。また、制御部５０は、電気回路によって構成されてもよい。制御部５０は、通知部２３、開閉ボタン２４、読み取り部４１、カッター４２、移動部４３および通信部４４と、それぞれ電気的に接続されている。
【００３７】
制御部５０は、図２に示すように、動作制御上実現される処理部として、コード認証部５１と、開封制御部５２とを有する。
【００３８】
コード認証部５１は、読み取り部４１により読み取られたコード９０が適正であるか否かを判断する。開封処理の前には、予め、通信部４４を介して管理装置３から制御部５０へ薬剤情報が入力される。コード認証部５１は、当該薬剤情報に基づいて、コード９０が適正であるか否かを判断する。コード認証部５１は、コード９０が適正であると判断すると、開封制御部５２に開封指令を与える。一方、コード認証部５１は、コード９０が不適正であると判断すると、通知部２３にエラーを通知させる。
【００３９】
開封制御部５２は、開封部４０を切断可能状態と待機状態とに切り替える。開封部４０が待機状態である場合、カッター４２の刃部４２１が上側作用部２２１の内部に収容されるとともに、移動部４３の動作が停止される。一方、開封部４０が切断可能状態である場合、カッター４２の刃部４２１が下方へと移動して刃部４２１の先端が刃受け部４２２内に配置されるとともに、移動部４３が駆動する。
【００４０】
開封制御部５２は、コード認証部５１からの開封指令に従って、開封部４０を待機状態から切断可能状態へ切り替える。すなわち、開封制御部５２は、コード認証部５１がコード９０が適正であると判断した場合に限り、開封部４０を切断可能状態とする。
【００４１】
管理装置３は、開封装置２と有線または無線によって通信可能な装置である。本実施形態の管理装置３は、パーソナルコンピュータにより構成される管理制御部３０と、ディスプレイ３１、キーボード３２およびマウス３３等の周辺機器とにより構成される。なお、管理装置３には、タブレット端末やスマートフォンなどの他の装置や、専用の装置が用いられてもよい。
【００４２】
管理制御部３０は、図２中に概念的に示した様に、ＣＰＵ等の演算処理部３０１、ＲＡＭ等のメモリ３０２、および、ハードディスクメモリやＳＤカード等の記憶部３０３により構成される。記憶部３０３内には、管理装置３の各処理を実行するためのプログラムＰおよびデータＤが記憶されている。
【００４３】
＜２．服薬管理の流れ＞
次に、服薬管理システム１を用いた服薬管理の流れについて図９および図１０を参照しつつ説明する。図９は、服薬管理システム１を用いた服薬管理の流れを示したフローチャートである。図１０は、開封装置２を用いた開封処理の流れを示したフローチャートである。
【００４４】
服薬管理を行う場合、まず、開封装置２と管理装置３とを、通信可能に接続する。そして、図９に示すように、管理装置３の管理制御部３０から開封装置２の制御部５０へ、薬剤情報を入力する（ステップＳ１）。薬剤情報には、例えば、服用すべき薬剤の包装９に付されたコード９０と、コード９０に対応する服用日および服用時間などの情報とが含まれる。
【００４５】
そして、薬剤情報が入力された開封装置２を用いて、開封処理を行う（ステップＳ２）。その後、再び、開封装置２と管理装置３とを接続し、開封装置２内に記憶された開封情報を、管理装置３へ送信する（ステップＳ３）。開封情報には、例えば、コード認証部の判断内容および判断日時と、開封動作の有無とが含まれる。
【００４６】
このように、この服薬管理システム１では、開封情報を管理装置３へフィードバックする。これにより、ユーザによる薬剤の服用状況を、管理装置３において管理できる。
【００４７】
以上のステップＳ１〜Ｓ３は、服薬のタイミング毎に行われる。ただし、ステップＳ１の薬剤情報の入力およびステップＳ３の開封情報の送信は、服薬の時間間隔よりも長い一定期間（例えば１週間）毎に行われてもよい。
【００４８】
次に、ステップＳ２の開封処理の流れについて説明する。開封処理を行うときには、図１０に示すように、まず、服用しようとする薬剤の包装９を開封装置２にセットする（ステップＳ２１）。具体的には、ユーザが、上側作用部２２１と下側作用部２２２との第二包装９の端部を挿入するとともに、包装９のコード９０を読み取り部４１と対向する位置に配置して、開閉ボタン２４を押す。これにより、上側作用部２２１および下側作用部２２２によって、包装９の端部が挟み込まれる。
【００４９】
包装９が開封装置２にセットされると、読み取り部４１がコード９０を読み取る（ステップＳ２２）。そして、コード認証部５１が、読み取られたコード９０が適正であるか否かを判断する（ステップＳ２３）。具体的には、コード認証部５１は、コード９０の内容に含まれる薬剤の種類および服用日時が、予め入力された薬剤情報のうちで現在の服用日時に該当するものと一致するか否かを判断する。
【００５０】
ステップＳ２３において、コード９０が適正であると判断すると、コード認証部５１は、開封制御部５２に開封指令を与える。これにより、開封制御部５２が開封部４０を切断可能状態に切り替えて、開封動作を実行させる（ステップＳ２４）。その後、制御部５０は、ステップＳ２の開封処理を終了する。ユーザは、開封された包装９の中の薬剤を服用する。
【００５１】
一方、ステップＳ２３において、コード認証部５１から読み取られたコード９０が適正でないと判断すると、制御部５０は、通知部２３にエラーを通知させる（ステップＳ２５）。エラーの通知方法としては、例えば、単に警告音を発するものであってもよいし、日付・時間帯等の何が異なっているかを音声によって通知するものであってもよい。また、通知部２３が表示機能を有する場合、文字または画像を表示することによって通知を行ってもよい。ステップＳ２５のエラー通知後、制御部５０は、ステップＳ２の開封処理を終了する。
【００５２】
このように、この服薬管理システム１を用いれば、予め決められた薬剤の包装９しか開封できない。したがって、ユーザは、予め決められた薬剤の包装９のみを開封できる。これにより、開封すべき包装９と、開封すべきでない包装９とを区別するユーザの判断負担が軽減される。すなわち、薬剤の包装を開封するための開封装置２を用いて、一包化された薬剤の誤服用を抑制できる。
【００５３】
また、本実施形態では、開封装置２が通信部４４を介して管理装置３と通信できる。このため、開封装置２自体に、薬剤情報データを入力するための操作部を設ける必要が無い。これにより、開封装置２の大型化を抑制しつつ、薬剤情報データの入力を行うことができる。
【００５４】
＜３．変形例＞
以上、本発明の一実施形態について説明したが、本発明は、上記の実施形態に限定されるものではない。
【００５５】
図１１は、一変形例に係る服薬管理システム１Ａの概略図である。図１２は、図１１の例の服薬管理システム１Ａの制御ブロック図である。図１１の例の服薬管理システム１Ａは、薬剤供給装置２Ａと管理装置３Ａとを含む。管理装置３Ａは、上記の実施形態の管理装置３と同等であるため、説明を省略する。
【００５６】
薬剤供給装置２Ａは、複数の薬剤が一包化された包装９を開封して、内部の薬剤を供給するための装置である。図１１および図１２に示すように、薬剤供給装置２Ａは、通知ランプ２３０Ａを含む通知部２３Ａ、収容部２５Ａ、指令ボタン２６Ａ、皿部２７Ａ、読み取り部４１Ａ、カッター４２Ａを含む開封部４０Ａ、通信部４４Ａ、移送部４５Ａおよび制御部５０Ａを有する。制御部５０Ａは、薬剤供給装置２Ａ内の各部を制御する。制御部５０Ａは、コード認証部５１Ａ、開封制御部５２Ａおよび移送制御部５３Ａを有する。
【００５７】
通知部２３Ａは、予め入力された服用時間になると、通知ランプ２３０Ａを発光させて、服用時間であることをユーザに通知する。なお、通知部２３Ａは、音声等の光以外の方法によって服用時間であることをユーザに通知してもよい。収容部２５Ａは、複数の包装９Ａを収容する。図１１の例では、複数の包装９Ａがシート状に連なったものが収容部２５Ａに収容されている。指令ボタン２６Ａは、ユーザが薬剤を服用する際に押すことにより、制御部５０Ａに対して開封動作を行う旨の指令を入力する。皿部２７Ａには、開封部４０Ａにより開封された包装９に収容されていた薬剤が載置される。
【００５８】
開封部４０Ａは、カッター４２Ａを含む。読み取り部４１Ａおよび通信部４４Ａは、上記の実施形態の読み取り部４１および通信部４４と同等であるため、説明を省略する。移送部４５Ａは、収容部２５Ａから開封部４０Ａへと包装９Ａを移送させる。読み取り部４１Ａは、移送部４５Ａにより移送される包装９Ａに付されたコードを読み取る。コード認証部５１Ａは、読み取り部４１Ａにより読み取られたコードが適正であるか否かを判断する。開封制御部５２Ａは、開封部４０Ａを切断状態と待機状態とに切り替える。開封部４０Ａが切断状態となると、包装９Ａが切断されて開封される。そして、開封された包装９Ａの内部に収容されていた薬剤は、皿部２７Ａに載置される。移送制御部５３Ａは、移送部４５Ａに移送の動作を実行させる。
【００５９】
薬剤供給装置２Ａにおいて、ユーザが指令ボタン２６Ａを押すと、移送制御部５３Ａからの指令により、移送部４５Ａが包装９Ａの移送を実行する。そして、最も下流側に配置された包装９Ａのコードが読み取り部４１に達すると、読み取り部４１Ａはコードを読み取る。そして、コード認証部５１Ａが、読み取られたコードが適正であるか否かについての判断を行う。開封制御部５２Ａは、コード認証部５１Ａがコードが適正であると判断した場合に限り、開封部４０Ａを切断状態とする。これにより、最も下流側の包装９が切断・開封され、皿部２７Ａの上に当該包装９内に収容されていた薬剤が載置される。コード認証部５１Ａがコードが適正でないと判断した場合、包装９の開封はされず、通知部２３Ａがエラーを通知する。
【００６０】
このような薬剤供給装置２Ａを用いれば、ユーザは適正な薬剤を服用できる。例えば、服用時間でない時間にユーザが指令ボタン２６Ａを押した場合や、セットされた包装９Ａの順番が間違っている場合であっても、ユーザが間違った薬剤を服用することを抑制できる。薬剤供給装置２Ａは、例えば、病院の入院病棟や介護施設において利用される。このような薬剤供給装置２Ａを用いれば、介護者等の手間を軽減しつつ、患者や被介護者による薬剤の誤服用を抑制できる。
【００６１】
また、上記の実施形態では、開封装置の開封部は、切断可能状態になると、自動で包装を切断したが、本発明はこの限りではない。開封部は、例えば、待機状態においては、刃部が収容状態でロックがかかっている一方、切断可能状態になると、当該ロックが外れるものであってもよい。この場合、例えば、ユーザが手動で刃部を動かして包装を切断すればよい。
【００６２】
また、上記の実施形態では、複数のユーザが同じ開封装置を用いる場合については記載されていない。しかしながら、１つの開封装置を複数のユーザが用いてもよい。その場合、例えば、開封装置にユーザ切替ボタンを設けたり、指紋認証部を設けたりするなど、開封装置がどのユーザが使用しているかの判断を入力するための機構を有する必要がある。
【００６３】
また、上記の実施形態では、予め開封装置に薬剤情報が入力されたが、本発明はこの限りではない。例えば、コードに日付および服用時間帯の情報が含まれており、開封装置が当該日付および服薬時間帯が現在の日時と一致するか否かを判断してもよい。このように、詳しい薬剤情報の入力を省略し、日付および服用時間帯のみに基づいて、薬剤の誤服用を抑制する構成であってもよい。
【００６４】
また、上記の実施形態では、全ての包装内に、それぞれ複数の薬剤が含まれていたが、本発明はこの限りではない。少なくとも一部の包装内に複数の薬剤が含まれていれば、一部の包装内に単一の薬剤のみが含まれていてもよい。
【００６５】
また、上記の実施形態や変形例に登場した各要素を、矛盾が生じない範囲で、適宜に組み合わせてもよい。
【符号の説明】
【００６６】
１，１Ａ  服薬管理システム
２  開封装置
２Ａ  薬剤供給装置
３，３Ａ  管理装置
９，９Ａ  包装
２３，２３Ａ  通知部
２５Ａ  収容部
４０，４０Ａ  開封部
４１，４１Ａ  読み取り部
４４，４４Ａ  通信部
４５Ａ  移送部
５０，５０Ａ  制御部
５１，５１Ａ  コード認証部
５２，５２Ａ  開封制御部
５３Ａ  移送制御部
９０  コード
【図１】
2019122709.tif 000003
【図２】
2019122709.tif 000004
【図３】
2019122709.tif 000005
【図４】
2019122709.tif 000006
【図５】
2019122709.tif 000007
【図６】
2019122709.tif 000008
【図７】
2019122709.tif 000009
【図８】
2019122709.tif 000010
【図９】
2019122709.tif 000011
【図１０】
2019122709.tif 000012
【図１１】
2019122709.tif 000013
【図１２】
2019122709.tif 000014
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
複数の薬剤が一包化された包装を開封するための開封装置であって、
ユーザが、服用しようとする薬剤の前記包装をセット可能であり、
前記ユーザによりセットされた前記包装に付されたコードを読み取る読み取り部と、
前記包装を開封する開封部と、
各部を制御する制御部と、
を有し、
前記制御部は、
前記読み取り部が読み込んだ前記コードに含まれる薬剤の種類および服用日時が適正であるか否かを判断するコード認証部と、
前記開封部を、前記包装の切断が可能である切断可能状態と待機状態とに切り替える開封制御部と、
を有し、
前記開封制御部は、前記コード認証部が前記コードを適正であると判断した場合に限り、前記開封部を前記切断可能状態とする、開封装置。
【請求項２】
請求項１に記載の開封装置であって、
前記コードは、前記包装の表面に印刷された、数字、バーコード、および２次元コードのいずれかを含む、開封装置。
【請求項３】
請求項１または請求項２に記載の開封装置であって、
前記開封部は、
移動可能な刃部と前記刃部を受ける刃受け部とを有するカッターと、
前記包装と前記カッターとを相対的に移動させる移動部と、
を含み、
前記切断可能状態において、前記刃部が前記包装に接触するとともに、前記移動部が前記包装と前記カッターとを相対的に移動させる、開封装置。
【請求項４】
請求項１ないし請求項３のいずれかに記載の開封装置であって、
無線または有線によって外部と通信する通信部
をさらに有し、
前記通信部を介して前記制御部へと薬剤情報が入力され、
前記コード認証部は、前記薬剤情報に基づいて、前記コードが適正であるか否かを判断する、開封装置。
【請求項５】
一包化された薬剤の服用状況を管理するための服薬管理システムであって、
複数の薬剤が一包化された包装を開封するための開封装置と、
前記開封装置と通信可能な管理装置と、
を備え、
前記開封装置は、
前記包装に付されたコードを読み取る読み取り部と、
前記包装を開封する開封部と、
前記開封装置内の各部を制御する制御部と、
を有し、
前記開封装置には、ユーザが、服用しようとする薬剤の前記包装をセット可能であり、
前記読み取り部は、前記ユーザによりセットされた前記包装に付された前記コードを読み取り、
前記制御部は、
前記読み取り部が読み込んだ前記コードが適正であるか否かを判断するコード認証部と、
前記開封部を、前記包装の切断が可能である切断可能状態と待機状態とに切り替える開封制御部と、
を有し、
前記管理装置は、前記制御部へ薬剤情報を入力し、
前記コード認証部は、前記薬剤情報に基づいて、前記コードに含まれる薬剤の種類および服用日時が適正であるか否かを判断し、
前記開封制御部は、前記コード認証部が前記コードを適正であると判断した場合に限り、前記開封部を切断可能状態とする、服薬管理システム。
【請求項６】
請求項５に記載の服薬管理システムであって、
前記制御部は、前記コード認証部の判断内容と、前記開封部による開封の有無とを、前記管理装置へ送信する、服薬管理システム。
【請求項７】
複数の薬剤が一包化された包装を開封して内部の薬剤を供給するための薬剤供給装置であって、
複数の前記包装を収容する収容部と、
前記包装を開封する開封部と、
前記収容部から前記開封部へと前記包装を移送させる移送部と、
前記移送部により移送される前記包装に付されたコードを読み取る読み取り部と、
各部を制御する制御部と、
を有し、
前記制御部は、
前記移送部に前記包装の移送を行わせる移送制御部と、
前記読み取り部が読み込んだ前記コードが適正であるか否かを判断するコード認証部と、
前記開封部を、前記包装を切断する切断状態と待機状態とに切り替える開封制御部と、
を有し、
ユーザによって前記制御部に対して開封動作を行う旨の指令が入力されると、前記移送部による前記包装の移送が実行され、
前記移送部により前記包装の前記コードが前記読み取り部に達すると前記コード認証部が判断を行い、
前記開封制御部は、前記コード認証部が前記コードに含まれる薬剤の種類および服用日時を適正であると判断した場合に限り、前記開封部を前記切断状態とする、薬剤供給装置。
【手続補正２】
【補正対象書類名】明細書
【補正対象項目名】０００８
【補正方法】変更
【補正の内容】
【０００８】
上記課題を解決するため、本願の第１発明は、複数の薬剤が一包化された包装を開封するための開封装置であって、ユーザが、服用しようとする薬剤の前記包装をセット可能であり、前記ユーザによりセットされた前記包装に付されたコードを読み取る読み取り部と、前記包装を開封する開封部と、各部を制御する制御部と、を有し、前記制御部は、前記読み取り部が読み込んだ前記コードに含まれる薬剤の種類および服用日時が適正であるか否かを判断するコード認証部と、前記開封部を、前記包装の切断が可能である切断可能状態と待機状態とに切り替える開封制御部と、を有し、前記開封制御部は、前記コード認証部が前記コードを適正であると判断した場合に限り、前記開封部を前記切断可能状態とする。
【手続補正３】
【補正対象書類名】明細書
【補正対象項目名】００１２
【補正方法】変更
【補正の内容】
【００１２】
本願の第５発明は、一包化された薬剤の服用状況を管理するための服薬管理システムであって、複数の薬剤が一包化された包装を開封するための開封装置と、前記開封装置と通信可能な管理装置と、を備え、前記開封装置は、前記包装に付されたコードを読み取る読み取り部と、前記包装を開封する開封部と、前記開封装置内の各部を制御する制御部と、を有し、前記開封装置には、ユーザが、服用しようとする薬剤の前記包装をセット可能であり、前記読み取り部は、前記ユーザによりセットされた前記包装に付された前記コードを読み取り、前記制御部は、前記読み取り部が読み込んだ前記コードが適正であるか否かを判断するコード認証部と、前記開封部を、前記包装の切断が可能である切断可能状態と待機状態とに切り替える開封制御部と、を有し、前記管理装置は、前記制御部へ薬剤情報を入力し、前記コード認証部は、前記薬剤情報に基づいて、前記コードに含まれる薬剤の種類および服用日時が適正であるか否かを判断し、前記開封制御部は、前記コード認証部が前記コードを適正であると判断した場合に限り、前記開封部を切断可能状態とする。
【手続補正４】
【補正対象書類名】明細書
【補正対象項目名】００１４
【補正方法】変更
【補正の内容】
【００１４】
本願の第７発明は、複数の薬剤が一包化された包装を開封して内部の薬剤を供給するための薬剤供給装置であって、複数の前記包装を収容する収容部と、前記包装を開封する開封部と、前記収容部から前記開封部へと前記包装を移送させる移送部と、前記移送部により移送される前記包装に付されたコードを読み取る読み取り部と、各部を制御する制御部と、を有し、前記制御部は、前記移送部に前記包装の移送を行わせる移送制御部と、前記読み取り部が読み込んだ前記コードが適正であるか否かを判断するコード認証部と、前記開封部を、前記包装を切断する切断状態と待機状態とに切り替える開封制御部と、を有し、ユーザによって前記制御部に対して開封動作を行う旨の指令が入力されると、前記移送部による前記包装の移送が実行され、前記移送部により前記包装の前記コードが前記読み取り部に達すると前記コード認証部が判断を行い、前記開封制御部は、前記コード認証部が前記コードに含まれる薬剤の種類および服用日時を適正であると判断した場合に限り、前記開封部を前記切断状態とする。